(57)【要約】【課題】光線を直接導光板から散射し、導光板内で再度の屈折を経て損耗が引き起こされることがなく、実用性と進歩性を備えた、改良型発光キーボードの提供。【解決手段】本考案の改良型発光キーボードは、複数のキー、導光板、反射片を含み、前記導光板が前記キーの下方に設置され、前記導光板が第一側面と第二側面を含み、前記第一側面に光線が入射され、前記第二側面は前記第一側面に垂直であり、且つ前記キーの近隣に配置され、前記第二側面は複数の粗面を備え、前記反射片は前記導光板の下方に設置され、光源の光線が導光板の第一側面に入射されると、光線は粗面によって光線の進路が変えられてキー箇所に散射され、これによりキーボードに発光効果を持たせる。【選択図】図２
0003147750.tif 000002
【実用新案登録請求の範囲】
【請求項１】
改良型発光キーボードであって、複数のキーと、少なくとも１つの光源と、前記キーの下方に設置された導光板と、前記導光板の下方に設置された反射片を含み、前記導光板が、前記光源の発生する光線を入射させることができる少なくとも１つの第一側面と、前記第一側面に垂直であり、且つ前記キーの近隣に配置された第二側面を含み、前記第二側面に複数の粗面が設けられたことを特徴とする、改良型発光キーボード。
【請求項２】
前記粗面が大小と疎密が異なるように設けることができることを特徴とする、請求項１に記載の改良型発光キーボード。
【請求項３】
前記粗面がインクスクリーン印刷または噴砂加工を使用して形成することができることを特徴とする、請求項１に記載の改良型発光キーボード。
【請求項４】
前記光源が、発光ダイオード、ＣＣＦＬ（Ｃｏｌｄ  Ｃａｔｈｏｄｅ  Ｆｌｕｏｒｅｓｃｅｎｔ  Ｌａｍｐ  冷陰極蛍光ランプ）またはエレクトロルミネセンス発光片等関連発光部材のいずれかとすることができることを特徴とする、請求項１に記載の改良型発光キーボード。
【請求項５】
前記発光キーボードが、ノートブックコンピュータ、デスクトップコンピュータ、マウスまたは携帯電話等のいずれかに設置することができることを特徴とする、請求項１に記載の改良型発光キーボード。
【請求項６】
透光効果が良好の材質から成り、少なくとも１つの光源を入射させて導光効果を形成することができ、前記導光板が、少なくとも１つの第一側面と、第二側面を含み、前記第一側面に前記光源の発生する光線が入射され、前記第二側面は前記第一側面に垂直であり、且つ前記第一側面の上方に設けられ、前記第二側面に複数の粗面が設けられたことを特徴とする、導光板。
【請求項７】
前記粗面が大小と疎密が異なるように設けることができることを特徴とする、請求項６に記載の導光板。
【請求項８】
前記粗面がインクスクリーン印刷または噴砂加工を使用して形成することができることを特徴とする、請求項６に記載の導光板。
【請求項９】
前記光源が、発光ダイオード、ＣＣＦＬ（Ｃｏｌｄ  Ｃａｔｈｏｄｅ  Ｆｌｕｏｒｅｓｃｅｎｔ  Ｌａｍｐ  冷陰極蛍光ランプ）またはエレクトロルミネセンス発光片等関連発光部材のいずれかとすることができることを特徴とする、請求項６に記載の導光板。
【考案の詳細な説明】
【技術分野】
【０００１】
本考案は発光キーボードに関し、特に、光線が導光板内で再度屈折を経ずに直接導光板から散射される、改良型発光キーボードに関する。
【背景技術】
【０００２】
バックライトモジュールを備えたキーボードの構造でキーボードに発光効果を持たせるものはすでに広くコンピュータシステムのキーボードまたはマウス、さらには携帯電話のキーボードにも使用されており、また多くの携帯電話製造業者が携帯電話のキーボードにバックライトモジュールを設置し、携帯電話のキーボードに発光効果を持たせるようになっている。
【０００３】
中華民国特許第５８７８００号の特許案で開示されているように、図１に従来のバックライト効果を備えたキーボードの断面図を示す。この図からはっきりと分かるように、この特許はバックライト効果を備えたキーボード１を開示しており、そのうち、前記バックライト効果を備えたキーボード１は導光板１２を含み、該導光板１２は透光効果が良好な材質から構成され、少なくとも１つの光源１１の導光効果を形成する。前記導光板１２は少なくとも第一側面１２１、第二側面１２２、第三側面１２４を含み、前記第一側面１２１には光源１１が発生する光線１１１が入射され、前記第二側面１２２には複数の大小および疎密が異なる突起点１２３が設置され、光線１１１を反射して拡散することができ、前記第三側面１２４は前記拡散を経た光線１１１を通過させて外部に向かって射出する。前記第二側面１２２下にはさらに光線１１１を反射することができる反射層１３が設置され、光源１１の光線１１１が第一側面１２１から入射して導光板１２に進入するとき、光線１１１が導光板１２内に照射され、光線１１１が突起点１２３に照射されると、突起点１２３が光線１１１の照射進路を変化させてさらにキー１４の箇所に反射し、キー１４を発光させることができる。
【特許文献１】中華民国特許第５８７８００号特許案
【０００４】
しかしながら、上述のバックライト効果を備えたキーボード１は使用時に次のような問題と欠点が確実に存在する。
一、突起点１２３が導光板１２の第二側面１２２に設けられているため、光線１１１が突起点１２３に照射されて光線１１１の進路が変化し、反射かつ拡散されるとき、光線１１１はさらに導光板１２の第三側面１２４を通過してキー１４の箇所に照射される必要があり、光線１１１の屈折の損耗を引き起こす。
二、突起点１２３が導光板１２の第二側面１２２に設けられているため、光線１１１が突起点１２３に照射されて光線１１１の進路が変化し、キー１４の箇所に反射かつ拡散されるとき、光線１１１はさらに第三側面１２４を通過しなければならず、光線１１１の反射距離が遠すぎ、キー１４の箇所まで照射される光線１１１が拡散されすぎてしまう。
【考案の開示】
【考案が解決しようとする課題】
【０００５】
本考案の主な目的は、従来のバックライト効果を備えたキーボードに存在する光線が屈折して引き起こされる損耗の問題点を打破し、光線を直接導光板から散射し、導光板内で再度の屈折を経て損耗が引き起こされることがなく、実用性と進歩性を備えた、改良型発光キーボードを提供することにある。
【０００６】
本考案の別の目的は、従来のバックライト効果を備えたキーボードに存在する光線が拡散しすぎる問題点を打破し、光線をより集中させることができ、実用性と進歩性を備えた、改良型発光キーボードを提供することにある。
【課題を解決するための手段】
【０００７】
本考案の発光キーボードは複数のキー、導光板、反射片を含み、前記導光板が前記キーの下方に設置され、前記導光板が第一側面と第二側面を含み、前記第一側面に前記光源が発生する光線が入射され、前記第二側面は前記第一側面に垂直であり、且つ前記キーの近隣に配置され、前記第二側面に複数の粗面が設けられ、前記反射片が前記導光板の下方に設置され、光線が第一側面から前記導光板に入射するとき、前記光源が発する光線が導光板内に照射され、光源が前記粗面に照射されると、光の進路が変化して前記キーの箇所に散射される。
【０００８】
本考案の発光キーボードは、導光板の第二側面に複数の粗面が設けられているため、光源が第一側面から導光板に入射するとき、該光源が発する光線が導光板内に照射され、光線が粗面に照射されると、直接粗面により光線の進路が変えられてキーの箇所に散射され、光線反射距離が短く、キーに照射される光線が比較的集中される。
【考案の効果】
【０００９】
全部の図に示すように、本考案の使用時には、従来技術と比較して、次のような利点が確実に存在する。
【００１０】
本考案の発光キーボード２は、複数のキー３、導光板５、反射片６を含み、前記導光板５は前記キー３の下方に設置され、前記導光板５は第一側面５１と第二側面５２を含み、前記第一側面５１に前記光源４の発生する光線４１が入射され、前記第二側面５２は前記第一側面５１に垂直であり、且つ前記キー３の近隣に配置され、前記第二側面５２には複数の粗面５２１が設けられ、前記反射片６は導光板５の下方に設置される。光源４の発生する光線４１が導光板５の第一側面５１に入射されると、光線４１が導光板５内に照射され、光線４１が反射片６に照射されると反射されて光線４１が導光板５内に返され、また光線４１が粗面５２１に照射されると、光線４１は粗面５２１により光線４１の進路が変えられてキー３箇所に散射される。これにより、光線４１は第二側面５２の粗面５２１により直接キー３箇所に散射され、導光板５内での再度の屈折を経ず、光の損耗を減少することができ、また、粗面５２１が第二側面５２に設置されており、散射時に散射距離が短いため、光線４１が比較的集中し、より正確に光の散射方向を制御して光をキー３の真に発光が必要な位置に集中させることができる。
【考案を実施するための最良の形態】
【００１１】
上述の目的及び効果を達するため、本考案が採用する技術手段及び構造について、以下、本考案の最良の実施例と図面に基づき詳細にその特徴と機能を説明する。
【００１２】
図２、図３、図４に本考案の最良の実施例の立体図、立体分解図、断面図を示す。これらの図からはっきりと分かるように、本考案の発光キーボード２は、複数のキー３、少なくとも１つの光源４、導光板５、反射片６を含む。
【００１３】
前記キー３はノートブックコンピュータ、デスクトップコンピュータ、マウスまたは携帯電話等のいずれかに設けることができる。
【００１４】
前記少なくとも１つの光源４は発光ダイオード、ＣＣＦＬ（Ｃｏｌｄ  Ｃａｔｈｏｄｅ  Ｆｌｕｏｒｅｓｃｅｎｔ  Ｌａｍｐ  冷陰極蛍光ランプ）またはエレクトロルミネセンス発光片等、関連発光部材のいずれかとすることができる。
【００１５】
前記導光板５は前記キー３の下方に設置され、前記導光板５は透光効果が良好な材質から成り、前記導光板５は、少なくとも１つの第一側面５１と、第二側面５２を含む。
【００１６】
前記少なくとも１つの第一側面５１は、前記光源４が発生する光線が入射され、前記第二側面５２は前記第一側面５１に垂直であり、且つ前記キー３の近隣に配置され、前記第二側面５２には複数の粗面５２１が設けられ、前記粗面５２１の形成はインクスクリーン印刷または噴砂加工を使用することができるが、上述の方法に限らないものとする。
【００１７】
前記反射片６は前記導光板５の下方に設置され、効果的に光線を反射することができる。
【００１８】
上述の構造、組み立て設計により、本考案の使用作動状況について以下で説明する。同時に図５と図６に本考案の最良の実施例の動作を示す図１と２を示す。これらの図からはっきりと分かるように、光源４が光線４１を発生し、導光板５の第一側面５１に入射されると、光線４１が導光板５内に照射される。そのうち、前記導光板５の下方に反射片６が設置されており、光線４１が反射片６に照射されると、反射されて光線４１が導光板５内に返され、また光線４１が第二側面５２の粗面５２１に照射されると、光線４１は粗面５２１により光線４１の進路が変えられてキー３箇所に散射される。そのうち、粗面５２１は第二側面５２にも受けられているため、光線４１はキー３箇所に直接散射することができ、導光板５内での再屈折を経る必要がなく、効果的に光の損耗を減少することができる。
【００１９】
さらに、粗面５２１は第二側面５２に設けられており、光線４１が散射されるとき、散射距離が比較的短いため、光線４１がキー３に照射されるとき比較的集中され、より正確に光の散射方向を制御し、光をキー３の真に発光が必要な位置に集中させることができる。
【００２０】
同時に図７に本考案のさらに別の最良の実施例の動作を示す図を示す。これらの図からはっきりと分かるように、光線が導光板５の第一側面５１に入射されるとき、導光板５内出の屈折距離が遠すぎると光線が弱まってしまい、キー３箇所に散射されるときの輝度不足を引き起こす可能性があるため、前記粗面５２１は大小と疎密が異なるように設けることができ、キー３の輝度不足の箇所は粗面５２１をより大きく及びより密に設け、より多くの光線を得ることができるようにしてもよい。
【００２１】
以上の説明は本考案の最良の実施例に基づくものであり、本考案の特許範囲を制限するものではなく、本考案の明細書及び図面の内容を運用した簡易な修飾及び同等効果を有する構造の変化はすべて本考案の特許範囲内に含まれるものとする。
【図面の簡単な説明】
【００２２】
【図１】従来のバックライト効果を備えたキーボードの断面図である。
【図２】本考案の最良の実施例の立体図である。
【図３】本考案の最良の実施例の立体分解図である。
【図４】本考案の最良の実施例の断面図である。
【図５】本考案の最良の実施例の動作を示す図１である。
【図６】本考案の最良の実施例の動作を示す図２である。
【図７】本考案の別の最良の実施例の動作を示す図である。
【符号の説明】
【００２３】
１        バックライト効果を備えたキーボード
１１      光源
１１１    光線
１２      導光板
１２１    第一側面
１２２    第二側面
１２３    突起点
１２４    第三側面
１３      反射層
１４      キー
２        発光キーボード
３        キー
４        光源
４１      光線
５        導光板
５１      第一側面
５２      第二側面
５２１    粗面
６        反射片
【図１】
0003147750.tif 000003
【図２】
0003147750.tif 000004
【図３】
0003147750.tif 000005
【図４】
0003147750.tif 000006
【図５】
0003147750.tif 000007
【図６】
0003147750.tif 000008
【図７】
0003147750.tif 000009